(57)【特許請求の範囲】
【請求項１】
運動可能な積木ピースであって、
回転運動可能な円柱形状をなし、該円柱の断面に形成された貫通孔の中心が該円柱の断面の中心から円周方向よりの位置に設定されていること、
又は、
搖動運動可能な分割円柱形状をなし、該分割円柱形状の分割面に形成された凹部或いは凸部の中心が該分割円柱の重心と分割面の中心点を結ぶ直線上の外側に設定されていること、
により前記積木ピースの断面の肉厚が不均一に形成されることによって前記積木ピースの重心位置を中心部から移動させ、前記円柱形状の積木ピースの回転運動中又は前記分割円柱形状の積木ピースの揺動運動中の重心位置を変動させること特徴とする運動可能な積木ピース。
【発明の詳細な説明】
【技術分野】
【０００１】
本発明は、動く積木及び動きに伴い音を発する積木に関するものである。
【背景技術】
【０００２】
積木は古くから子供たちに親しまれている玩具で、丸・三角・四角等のシンプルな形状の単位積木により構成されている。子供たちは単位積木を並べたり、積み重ねたり、それを崩したり自由に遊ぶことができ、その中で知らず知らずのうちに創造性や判断力を養うことができる。しかし、シンプルな形状故に並べ方や積み重ね等の方法も自ずと限定されるので、類似動作の繰返しによって遊びのパターンが単調化しがちである。このため、子供たちは早々に積木遊びに飽きてしまうことが多かった。【０００３】
又、子供たちは遊びを通じて五感の発達を促進させるが、積木遊びにより五感のうち視覚、触覚、聴覚が刺激されうる。しかし従来の遊び方では、積木は子供たちが手を触れていない状態のときは常に静止しており、動的に視覚を刺激することは少なかった。同様に音を発することも少なく、聴覚が刺激されることはほとんどなかった。【０００４】
このような状況に鑑みて、子供達にもっと積木に興味を持たせるべく、積木に音を発生させたり、玩具に動きを与えたりする発明が提案されている。例えば、モータや録音テープ等外部動力等を利用したり、特定の動きのみを行うものである。玩具一般においても、モータ、磁力、センサ等を用いることにより動きを発生させるものが多い（例えば、特許文献１〜４を参照）。【０００５】
【特許文献１】実開Ｈ０２−６８８９８号公報
【特許文献２】特開Ｈ０９−１０４４７号公報
【特許文献３】実登３０９１７７９号公報
【特許文献４】実開Ｓ６３−２０７６０６号公報
【発明の開示】
【発明が解決しようとする課題】
【０００６】
しかし、モータや磁力を利用した動きの発生や録音テープ等を利用した音の発生では、積木を媒体にして動きや音を発生しているのであって、積木は単なる筐体にすぎない。シンプルながら様々な積木の形状を活用して、動きを発生させ・音を発生させるための諸々な組合せ等の創意・工夫や試行錯誤があってこそ、積木遊びによる創造力や判断力を養うことができるものと考えられる。【０００７】
従来技術においては、外部動力を用いず積木自体による動きや音の発生に関しての提案はほとんどなされていない。本発明はこのような状況に鑑みて提案するものであり、シンプルな形状の積木自体を用いた動く積木や音の出る積木を提供するものである。それらにより、子供たちの積木に対する興味を増加せしめ、積木遊びを通じた知育の促進に資することを目的とするものである。さらに、大人に対しても、動くオブジェとして安らぎや癒し効果をもたらすことを目的とするものである。【０００８】
さらに、本発明の目的は、単純な積木の動きや音の発生に留まらない、特徴ある積木の形状自体に由来する変化に富んだ動きやその動きに基づいた音の発生を目的とするものである。
【課題を解決するための手段】
【０００９】
本発明の第１の観点によれば、運動可能な積木ピースにおいて、回転運動可能な円柱形状又は搖動運動可能な分割円柱形状の積木ピースであって、断面の肉厚を不均一に形成することにより当該積木ピースの重心位置を中心部から移動させ、回転運動中又は搖動運動中の重心位置を変動させることを特徴とする運動可能な積木ピースが提供される。
材質等が均一であれば、積木ピースの重心位置はその中心に存在する。
円柱形状の積木ピースの場合、回転運動を行っている間、重心位置は積木ピースを載置している台の上面から一定の距離を保持する。したがって、重心の位置エネルギーは一定で、回転運動は摩擦によって徐々にかつ円滑に減速していく。
これに対して、重心位置を円柱の円周方向に移動させると、円柱形状の積木ピースの場合、回転中の重心位置は上下に変動することになるので、重心位置が上部から下部に向かう場合には運動エネルギーに変換された位置エネルギーの追加により回転が速くなり、下部から上部に向かう場合には逆の作用により回転が遅くなることになる。したがって、ギクシャクとしたぎこちのない不等速回転を継続する。
又、回転エネルギーが一定値以下になれば１回転することができず、回転途中で戻り回転に転じる順逆回転を繰り返すこととなる。なお、重心位置を肉厚（断面）方向に移動させても重心位置は上下に変動せず不等速回転運動を行わない。
【００１０】
一方、揺動運動を行っている場合は、揺動運動は徐々にかつ左右均等に減速し、振幅が小さくなる。これに対して、分割円柱形状の積木ピースにおいて、重心位置を分割円柱の重心と分割面の中心点を結ぶ直線上を除く円周又は分割面方向に移動させると、揺動運動中の重心位置が存する側の振幅は遅く小さく、重心位置が存しない側の振幅は速く大きいこととなる。
なお、重心位置を肉厚（断面）方向又は重心と分割面の中心点を結ぶ直線上に移動させても揺動運動は左右均等に行われることとなる。このように本発明に係る観点により重心位置を移動させることによって、積木ピース単体の回転又は揺動運動がアンバランスかつ変化に富んだものとなる。なお、分割円柱とは、円柱を肉厚（長さ）方向に切断することにより形成された形状をいい、分割面とは、当該切断面をいう。【００１１】
円柱形状の積木ピースの断面肉厚を不均一に形成することによって、厚肉側に重心位置が移動することになる。このような形状により、回転運動はギクシャクとした回転となる。回転が一定速度以下になると、回転エネルギーが位置エネルギーを下回ることから前進及び後退運動を繰り返すことになる。重心位置は上下するが、円柱形状積み木ピース自体は水平回転運動を行う。
【００１２】
本発明の第２の観点によれば、上記第１の観点の積木ピースにおいて、円柱形状の積木ピースは、円柱の断面に貫通孔を形成することにより断面の肉厚を不均一にし、かつ、該貫通孔の中心を該断面の中心から円周方向寄りの位置に設定されたことを特徴とする積木ピースが提供される。
貫通孔を中心から外して形成することによって、重心が貫通孔の存する反対側に移動して前記記載の運動を行う。
【００１３】
また、断面肉厚を超える長さの棒状体を嵌合することにより、重心が貫通孔の存する側に移動して前記記載の運動を行うこととなる。
【００１４】
本発明の第３の観点によれば、上記第１の観点の積木ピースにおいて、円柱形状の積木ピースは、円柱の片側断面又は両側断面を傾斜形状とすることにより断面の肉厚を不均一にしたことを特徴とする積木ピースが提供される。
片側又は両断面を傾斜形状とすることにより、重心位置が厚肉側に移動することになり、その結果前記記載の運動を行うこととなる。片側のみ傾斜形状とした場合、両面の直径が異なることにより、積木ピースの軌跡が直角面側に寄った曲線を描く。
【００１５】
本発明の第４の観点によれば、上記第１の観点の積木ピースにおいて、円柱形状の積木ピースは、円柱の円周面の片側の全部又は一部を切除することにより断面の肉厚を不均一にしたことを特徴とする積木ピースが提供される。このような形状によると、重心位置が切除された反対側に移動し、不等速運動及び／又は前進・後退運動を同様に行うこととなる。
【００１８】
本発明の第５の観点によれば、上述の分割円柱形状をなす積木ピースにおいて、分割面に凹部又は凸部を形成することにより断面の肉厚を不均一にし、かつ、該凹部又は凸部の中心を分割円柱の重心と分割面の中心点を結ぶ直線上の外側に設定したことを特徴とする積木ピースが提供される。本積木ピースは断面ではなく、分割面に凹部又は凸部を形成している。
このため、凹部に嵌合する積木ピースの上部形状又は凸部の形状を半円形とすれば、積木ピースの揺動運動を半円形形状を介した上部体の略水平運動に変換することができる。積木ピースの分割面が平坦であれば、その上に載置する上部体は積木ピースの運動を停止させるだけであるが、重心位置変更手段を分割面の形状に利用することによって、積木ピースの揺動運動を上部体に伝達することができ、全体として比較的長い時間の運動を可能とするのである。
【００２０】
本発明の第６の観点によれば、本発明の第５の観点の積木ピースにおける分割面に凸部を形成した分割円柱形状の積木ピースを複数配置し、該複数配置された積木ピース上にブロック体を載置した積木セットであって、該凸部が半円柱形状であり、かつ、該凸部を内側に配置したことを特徴とする積木セットが提供される。
積木ピースの組合せにより、前記揺動運動とブロック体の緩やかな運動がミックスされた変化に富んだ運動が可能となる。
なお、分割面の中心に凹部又は凸部の中心を設定した場合には、ブロック体は上下運動を伴わず、半円柱形状との接点を介して揺動運動が変換された水平運動を行うこととなる。このような規則的運動も動きを伴う積木の１タイプである。
【発明の効果】
【００２４】
本発明の第１の観点により、ギクシャクとしたぎこちのない動きの不等速回転運動や振幅幅の不一致及び振幅速度の不等速揺動運動という変化に富んだ運動が提供される。アンバランスな動きは、子供たち等の不思議さへの感情を刺激し、興味を引く効果をもたらす。
また、本発明に係る略円柱形状の積木ピースは比較的長い距離を転がることができ、略分割円柱形状の積木ピースは比較的長い間揺動運動を行うことが可能である。変化に富んだ積木ピースの動きは子供たちの興味をそそるが、これらの比較的長い間運動を行うことが可能な形状を有する積木ピースに対して変化に富む動きを付与すると、いっそう子供たちの興味をそそり持続した、より大きな効果をもたらす。
又、アンバランスでありながら自然なリズムを有した動きは現代人の多忙な生活の中で癒し効果を発揮するものである。【００２５】
円柱の断面の肉厚を不均一に構成することによって、重心位置を変更することができる。円柱外周の形状を保ったまま重心位置を移動させているので、上下運動を伴わずに不等速運動、前進・後退運動が提供される。
【００２６】
本発明の第２の観点により、断面に貫通孔を形成するという手段によって、重心位置を変更させることができる。重心位置を変更させる方法の中で、貫通孔を形成する方法が最も加工しやすく、かつ重心移動程度の調整が容易である。さらに、円柱状の孔は切除材を積木のピースとして有効活用することができる。
【００２７】
断面の貫通孔に棒状体を嵌合することによって、重心位置を貫通孔側に移動させることができる。棒状体の長さを変えることによって重心位置の調整をすることが可能である。さらに、棒状体と結合させることにより積木ピースの重量が増し、上にブロック体等を載置した場合に、積木セット全体の運動が安定する効果をもたらす。
【００２８】
本発明の第３の観点により、両側断面又は片側断面を傾斜形状とすることによって、円柱外周の形状を保ったまま重心位置を変更することができる。円柱を斜めに切断すると、片断面傾斜形状の積木ピースを２つ獲得することができるので、製造段階の歩留が向上する。
【００２９】
本発明の第４の観点により、円柱の円周面の一部を切除することにより、重心位置を変更することができる。切除しなかった部分については、円柱外周の形状を保ったままなので、上下運動を伴わずに不等速運動、前進・後退運動が提供される。円柱の片側半分を半円柱形状に切除した場合、１の円柱から２の本形状の積木ピースをロスなく獲得することができる。
【００３０】
ブロック体を積木ピースに覆い被せるように設置すると、積木ピースの特有の形状が隠されて、より不均一運動の不思議さが増し、子供たちの興味をそそる効果をもたらす。
【００３１】
略分割円柱形状をなす前記積木ピースの速度及び振幅が左右で不均一となる変化に富んだ揺動運動が可能となり、重心の存しない側の端部は高く跳ね上がる動きをなす。
【００３２】
本発明の第５の観点により、略分割円柱形状をなす前記積木ピースは、同様に速度及び振幅が左右で不均一となる揺動運動をなす。
【００３３】
凹部に嵌合する円柱形状の積木ピースの長さ（肉厚）を変えることによって重心位置の調整をすることが可能である。さらに、円柱形状の積木ピースと結合させることによりムーブ積木の重量が増し、上にブロック体等を載置した場合に積木セット全体の運動が安定する効果をもたらす。
【００３４】
本発明の第６の観点により、下部の積木ピースの左右不均一な揺動運動に加え、上部のブロック体がより緩慢な速度でかつ振幅の大きい揺動運動を行うので、全体として揺動のコンビネーション運動が可能となる。
【発明を実施するための最良の形態】
【００３８】
以下、本発明の最良の実施形態に係る積木ピースおよび積木セットについて、図面を参照しつつ詳細に説明する。
【００３９】
本発明は、積木の最小単位である積木ピース及び積木ピースを組合せた積木セットの双方を含んでいる。先ず、積木ピースについて以下説明する。
【００４０】
図１は回転型積木ピースＡ−１（１）の概念図であり、（１）は側面図、（２）は正面図、（３）は斜面図である。積木ピースの材料としてはブナの無塗料材を使用した。積木用としては、重硬性、均質性、加工性などが要求されるのでブナ、タモ、サクラなどが選択されることが多い。本実施形態は、手触りなど触覚上の心地良さ、自然環境との共生等の観点から木製となっているが、金属・樹脂・ゴム等の材料で制作することも可能であり、木製に限定されるものではないことは勿論である。【００４１】
回転型積木ピース１の断面には貫通孔２が形成されている。貫通孔以外の部分の断面肉厚は一定である。貫通孔は回転型ピース１の中心部４から外れた位置を中心として形成されている。したがって、回転型積木ピースの重心は貫通孔と反対側に移動し、回転型積木ピースの中心部４の外側の位置３に位置することになる。なお、貫通孔を形成する以外に、断面表面を切除して凹部を形成しても同様の効果をもたらす。【００４２】
図２は回転型積木ピースＡ−２（５）の概念図であり、（１）は側面図、（２）は正面図である。貫通孔には棒状体が嵌合しており、重心は貫通孔側に移動している。【００４３】
図３は回転型積木ピースＡ−１が運動中の場合の概念図である。貫通孔が形成された回転型積木ピース１を車輪のようにして、強く転がすと、イ、ロ、ハ、二、ホの順で、イロ及びロハ間は低速、ハニ及びニホ間は高速と、速度の高低を繰り返しながら直進する。一方、弱く転がすと、ヘ、ト、チ、リの順で前進から反転して後退し、又前進から反転後退して、一定エリアの中で前進・後退運動を繰り返す。楕円状の積木ピースであれば、その形状から速度の高低が生じることはイメージを掴みやすいが、本件回転ピースのように円周部分が円形を保持している積木ピースがそのような動きをすることは、子供にとっては意外性を有した不思議な動きとして受取られる。回転型積木ピースＡ−２の場合も同様の動きを行う。【００４４】
図４は、回転型積木ピースＢ−１（７）の概念図であり、（１）は側面図、（２）は正面図、（３）は斜面図である。回転型積木ピース７の両側の断面８は傾斜形状をなしているので、重心は断面肉厚の厚肉側（図４では下方）に移動する。したがって、回転型積木ピース１同様の不等速前進又は前進・後退の繰返し運動を行う。図示していないが、回転型積木ピース１と回転型積木ピース７を組合せることも勿論可能である。組合せることにより、不等速前進又は前進・後退の繰返し運動を強調し又は緩和することができる。【００４５】
図５は、回転型積木ピースＢ−２（９）の概念図であり、（１）は側面図、（２）は正面図、（３）は斜面図である。断面は傾斜面１０と直角面１１により構成される。片側のみ傾斜面であっても、重心は断面肉厚の厚肉側に移動する。したがって、回転型積木ピース７同様に、不等速前進又は前進・後退の繰返し運動を行う。なお、両断面の円周が異なることから、前進及び後退運動はゆるい円軌道を描きつつ行われる。回転型積木ピースＢ−１（７）と対比すると、生産効率や積木箱への収まりの点において優位性がある。回転型積木ピース１と回転型積木ピース９を組合せることも勿論可能である。【００４６】
図６は、回転型積木ピースＣ（１３）の概念図である。（１）は側面図、（２）は正面図である。断面の左半分は上部が切除され、半円柱形状をなしている。右半分は円柱形状である。このような構成によって、図面上部の重量が図面下部の重量の１／２となり、重心が図面下部に移動するので、回転型積木ピース１同様に不等速前進又は前進・後退の繰返し運動を行う。切除する部分は中央部として、両側は円柱形状をそのまま残すようにしても良い。【００４７】
図７は揺動型積木ピースＡ（１５）であり、円環を分割した半割り円環形状をなしている。（１）は側面図、（２）は正面図である。外力により、一方の端部を下方に押すと、左右均等に揺動運動を開始する。【００４８】
図８は揺動型積木ピースＢ（１９）である。（１）は側面図、（２）は正面図である。１６は薄肉側の端部、１８は厚肉側の端部であり、１７は凹部である。揺動型積木ピース１９は円柱を２分割し、さらに分割面に、中心を分割円柱の重心と分割面の中心点を結ぶ直線上の外側に設定した半円柱状の凹部１７を形成した形状をなしている。円柱の分割は２分割でなくとも良く特に限定されない。しかし、後に説明する積木ピースの組合せとして用いる場合には、２分割より大きな分割円柱では、揺動の際に端部が上部のブロックに接触し、又、３分割より小さな分割円柱では、切り欠き部に嵌合した円柱が脱落しやすくなる。このため、分割円柱は２分割から３分割までの範囲が好ましい。【００４９】
凹部の左側１６の径方向の肉厚は薄く、右側１８の径方向の肉厚は厚くなるので、重心は図面右側に移動する。その結果、外部力を加えることによる揺動運動は、左右不均一となる。薄肉側の揺動は速く、その振幅は大きい一方、厚肉側は遅く、小さな振幅となる。
【００５０】
積木セットを構成する部材としては、上記以外に、球２１、ブロック２０、溝付ブロック２３、円柱形状積木ピース２４、吊るし板２５、中空音響板２６、音響板２７、笠状積木ピース２８、分割円柱形状積木ピースＡ２９、分割円柱形状積木ピースＢ３０等がある。以下、積木セットの実施例について説明する。【００５１】
図９は組合せＡである。本組み合わせは、２個の回転型積木ピース１とブロック２０により構成されている。ブロック２０は２個の回転型積木ピースの上に載置されている。ブロックを左右いずれかに押すと、下部の両回転型積木ピースが速度を変化させつつ前進回転し又は前進・後退回転運動を繰り返す。ブロック２０はその動きに追随し、水平にかつ速度を変化させて前進し又は前進・後退を繰り返す運動を行う。組合せＡの全体の運動としては、不均一な回転運動と不均一な水平運動がミックスされた変化に富んだ運動が展開される。図示していないが、貫通穴に棒状体を嵌合した場合には、ブロック体に対する下部の回転型積木ピースの重さが相対的に増し、動きが安定する。その結果、上部ブロック体が慣性によって回転型積木ピースから脱落することも防止される。なお、回転型積木ピースは重心位置が中心から外れた位置にあれば良く、本実施例の貫通孔を形成するタイプや貫通孔に棒状体を嵌合する態様に限定されない。【００５２】
図１０は、組合せＢである。本組合せは２個の揺動型積木ピースＢ１９と揺動型積木ピースの凹部に嵌合した２個の円柱形状積木ピース２４と溝付ブロック２３と球２１より構成されている。揺動型積木ピースの凹部は中心から外れた位置にあり、当該凹部には円柱形状積木ピースが嵌合されているので、合わせると凹部が盛り上がった半分割円柱形状を呈することとなる。すなわち、揺動型積木ピース単体とは逆に、凹部側に重心が移動することとなるので、円柱を嵌合した揺動型積木ピースは径方向の肉厚の薄い側（凹部側）に傾いて静止する。
このため、両側共に径方向の肉厚の厚い側を内側にして並べたり、左右のどちらかについて径方向の肉厚の厚い側を内側にして並べた場合、端部が高く上がった径方向の肉厚の厚い側が溝付ブロックの下方に近接することになる。その結果、揺動運動が開始されるとまもなく、揺動型積木ピースの端部が溝付ブロックに接触して運動が停止してしまう。よって、揺動型積木ピースは径方向の肉厚の薄い側を内側にして、径方向の肉厚の厚い側の端部がブロックに接触しないように対向して載置されている。揺動型積木ピースに嵌合された円柱の上にはブロックが載置され、ブロックの上には溝２２に嵌って球２１が載置されている。
【００５３】
外力が加わると揺動型積木ピースは揺動運動を開始するが、径方向の肉厚の厚い、すなわち外側に向かって振幅するときは振幅が大きくなり、上方への運動が加わる。ブロックは、ブランコのような緩やかな揺動運動を行う。上に載置した球はブロックの動きに対応して、左右に回転運動を行う。組合せＢの全体としては、２の揺動運動と不均一の回転運動がミックスされた多様な運動が展開される。なお、下部が揺動型積木ピースＡであれば、揺動運動は左右均一のものとなり、ブロックは水平に左右運動を行い、球は左右に、より緩やかな回転運動を行うこととなる。
【００５４】
図１１は、組合せＣである。本組合せは２個の揺動型積木ピース１９と揺動型積木ピースの凹部に嵌合した２個の円柱形状積木ピース２４と溝付ブロック２３と２個の球２１と音響板２７と吊るし板２５と中空音響板２６より構成されている。２個の揺動型積木ピース１９と揺動型積木ピースの凹部に嵌合した２個の円柱形状積木ピース２４の上部には溝付ブロック２３が載置され、溝付ブロック２３の上部には中央部に音響板２７、左右に２個の球２１が載置されている。音響板２７を支柱として、その上部に吊るし板２５が載置され、吊るし板には中空音響板２６が吊るされている。【００５５】
揺動型積木ピースと溝付ブロックと球の運動は組合せＢと同様である。球２１が左右に回転すると、中央部の音響板２７との衝突及び左右の中空音響板２６との衝突に伴い音を発生させる。球の回転運動は、球自体の回転運動の慣性と下部から伝わる上下運動を伴う新たな左右への運動があいまって複雑な動きをすることになる。球の運動に伴い、音も不均一なタイミングで繰返し発生する。中央部の音響板への衝突音と左右の中空音響板への衝突音が異なることから、バリエーションに富んだ音が発生する。中空音響板に衝突したときは、中空音響板が球の勢いで図の右側に振れた後に左側に振れ戻って再度球に衝突するので、衝突音が２度発生する。なお、球の代わりに円柱をブロック上に載置・又は溝に嵌めても、球同様の運動を行い球とは異なる音を発生させる。【００５６】
従来の積木は静的なものであり、人間の手が離れた状態では積木は常に静止していた。組合せＣの場合には、積木自体の有する形状に由来して、人間の手が離れた状態でも複雑に動き、かつ音を発する。【００５７】
図１２は組合せＤである。本組合せは２個の分割円柱形状積木ピースＢ３０とブロック２０と笠状積木ピース２８と分割円柱形状積木ピースＡ２９により構成されている。分割円柱形状積木ピースＢ３０は貫通孔を形成しており重心位置が中心から外れた位置にあるので、揺動運動は不等速かつ不等振幅となる。分割円柱形状積木ピースＢ３０の上には、ブロック２０を介して分割円柱形状積木ピースＡ２９が載置され、その上には笠状積木ピース２８が覆設されている。分割円柱形状積木ピースＢ３０は貫通孔を形成したものに限定されないことは勿論である。【００５８】
分割円柱形状積木ピースＡ２９及びＢ３０の分割は２分割（角度１８０度）以下でなければならないが、ブロック２０との接触の回避、笠状体２８との間隙の確保及び全体の安定性の観点から、３分割ないし６分割（６０度ないし１２０度）であることが好ましく、又、動きの円滑性・安定性の観点から４分割（９０度）近傍が特に好ましい。【００５９】
ブロックを左右いずれかに押すと、下部の分割円柱形状積木ピースＢ３０が左右不均一な揺動運動を開始する。ブロック２０はその動きに追随し、繰り返す運動を行う。溝付ブロック上の分割円柱形状積木ピースＡ２９は、溝付ブロックの動きに対応して、複雑に揺動運動を繰り返す。笠状積木ピース２８は分割円柱形状積木ピースＡ２９の揺動運動に対応して、揺動運動を行うが、両者の形状に由来して揺動運動の振幅タイミングが異なることから、笠状積木ピース２８は分割円柱形状積木ピースＡ２９との衝突音を追加発生させる。【００６０】
笠状積木ピースの衝突音について、図１３に基づいて説明する。図１３は分割円柱形状積木ピースＡ２９と笠状積木ピース２８の拡大図である。（１）は静止状態図、（２）は分割円柱形状積木ピースが右方向に揺動している図である。（３）は、分割円柱形状積木ピースが反対側に揺動している状態の図である。ブロックの右方向への運動によって分割円柱形状積木ピースは右方向への揺動運動を行う。そうすると、分割円柱形状積木ピースに覆設された笠状積木ピースは右方向に傾斜して、回転方向笠端部３２がブロックに衝突して衝突音が生じる。次に、笠状積木ピースは衝突の反動で反対側に傾斜する。笠状積木ピースと分割円柱形状積木ピースは密着しておらず両者間に間隙３１が存するので、笠状積木ピースの反動による反対側への傾斜に対し、分割円柱形状積木ピースはすぐに追随せず、笠状積木ピースは分割円柱形状積木ピースに衝突して２度目の音を発する。さらに、笠状積木ピースの回転反対方向笠先端部３３が溝付ブロックに衝突して３度目の音を発する。【００６１】
このように、組合せＤでは揺動型積木ピースの不均一な揺動運動と溝付ブロックの不均一な水平運動と分割円柱形状積木ピースの不均一な揺動運動と笠状積木ピースの振幅の異なる揺動運動に加えて１振幅で３回の音が発生するというコンビネーション効果が生じる。【００６２】
図示していないが、分割円柱形状積木ピースの重心位置が中心にある場合には、分割円柱形状積木ピースは左右に等速・等振幅揺動運動を行うが、この場合であっても、溝付プロックの水平運動、笠状積木ピースの揺動運動に加えて１振幅で３回の音が発生するというコンビネーション効果は同様に生じる。【００６３】
図１４の組合せＥは、組合せＤの分割円柱形状積木ピースＢ３０が揺動型積木ピースＢ１９と揺動型積木ピースの凹部に嵌合した２個の円柱形状積木ピース２４の結合部材に置き換わったものである。この場合も、分割円柱形状積木ピースと笠状積木ピースは上記同様の揺動運動を行い、上記同様に音を発生させる。【００６４】
図１５は組合せＣを変形したものである。揺動運動、回転運動に音の発生を加え、さらに積木セットの形状を犬に見立てて構成したものである。本発明に基づく組合せによって、動き又は動きと音を伴った様々な展開が可能になる。
【産業上の利用可能性】
【００６５】
本発明は、今までにないその形状に基づく動きと音を伴う新たな積木として、子供及び大人向け用途に、大きな産業上の利用可能性を有するものである。
【図面の簡単な説明】
【００６６】
【図１】回転型積木ピースＡ−１の概念図
【図２】回転型積木ピースＡ−２の概念図
【図３】回転型積木ピースＡ−１の運動中の概念図
【図４】回転型積木ピースＢ−１の概念図
【図５】回転型積木ピースＢ−２の概念図
【図６】回転型積木ピースＣの概念図
【図７】揺動型積木ピースＡの概念図
【図８】揺動型積木ピースＢの概念図
【図９】組合せＡの概念図
【図１０】組合せＢの概念図
【図１１】組合せＣの概念図
【図１２】組合せＤの概念図
【図１３】組合せＤの拡大図
【図１４】組合せＥの概念図
【図１５】組合せＦの概念図
【符号の説明】
【００６７】
１  回転型ピースＡ−１
２  貫通孔
３  重心位置
４  回転型積木ピースＡ−１（Ａ−２）の中心部
５  回転型積木ピースＡ−２
６  棒状体
７  回転型積木ピースＢ−１
８  Ｂ−１の傾斜面
９  回転型積木ピースＢ−２
１０  Ｂ−２の傾斜面
１１  直角面
１２  切除部
１３  回転型積木ピースＣ
１４  半円柱形状部
１５  揺動型積木ピースＡ（半割り円環形状）
１６  薄肉側端部
１７  凹部
１８  厚肉側端部
１９  揺動型積木ピースＢ
２０  ブロック
２１  球
２２  溝
２３  溝付ブロック
２４  円柱形状積木ピース
２５  吊るし板
２６  中空音響板
２７  音響板
２８  笠状積木ピース
２９  分割円柱形状積木ピースＡ
３０  分割円柱形状積木ピースＢ
３１  間隙
３２  回転方向笠端部
３３  回転方向反対笠端部
【図２】
0005388859.tif 000002
【図１】
0005388859.tif 000003
【図３】
0005388859.tif 000004
【図４】
0005388859.tif 000005
【図５】
0005388859.tif 000006
【図６】
0005388859.tif 000007
【図７】
0005388859.tif 000008
【図８】
0005388859.tif 000009
【図９】
0005388859.tif 000010
【図１０】
0005388859.tif 000011
【図１１】
0005388859.tif 000012
【図１２】
0005388859.tif 000013
【図１３】
0005388859.tif 000014
【図１４】
0005388859.tif 000015
【図１５】
0005388859.tif 000016